(57)【要約】信号の入力サンプル・レート（Ｆｓ１）を出力サンプル・レート（Ｆｓ４）に変換するためのサンプル・レート・コンバータ（１２）には、出力サンプル・レート（Ｆｓ４）が入力サンプル・レート（Ｆｓ１）よりも大きい（アップサンプリング）または小さい（ダウンサンプリング）ように（基本的な概念の）中間サンプル・レート（Ｆｓ２）を適応させるためのサンプル・レート・アダプタ（３、６）が提供されて、それらの複雑さを低下させ、ブックキーピング問題および構成切換え問題を回避している。可変サンプル・レート減少部（３）の形態のサンプル・レート・アダプタ（３、６）により、サンプル・レート・コンバータ（１２）は、ＤＣ−出力がＤＣ−入力に等しいことを必要とするビデオ用途で使用することができるようになる。可変サンプル・レート増大部（６）の形態のサンプル・レート・アダプタ（３、６）により、サンプル・レート・コンバータ（１２）は、オーディオ用途で使用することができるようになる。ファクタＫを用いて増大させるための固定サンプル・レート増大部（１）と、ファクタＭを用いて減少させるための固定サンプル・レート減少部（５）との間にサンプル・レート・アダプタ（３、６）を配置することにより、ＫとＭが固定され、Ｌ≦Ｋである限り、両者の間のフィルタ（２、４）は、可変ファクタＬとは独立に設計することができる。
2006523996.tif 000002
【特許請求の範囲】
【請求項１】
信号の入力サンプル・レートを出力サンプル・レートに変換するためのサンプル・レート・コンバータであって、第１の値を有する制御信号に応じて、前記出力サンプル・レートが前記入力サンプル・レートよりも大きくなるように中間サンプル・レートを適応させると共に、第２の値を有する制御信号に応じて、前記出力サンプル・レートが前記入力サンプル・レートよりも小さくなるように前記中間サンプル・レートを適応させるためのサンプル・レート・アダプタを備えるサンプル・レート・コンバータ。
【請求項２】
前記サンプル・レート・アダプタが、前記中間サンプル・レートを可変に減少させるための可変サンプル・レート減少部［decreaser］を備える、請求項１に記載のサンプル・レート・コンバータ。
【請求項３】
前記入力サンプル・レートを固定して増大させ、前記可変サンプル・レート減少部に向けられることになる、前記中間サンプル・レートを有する信号を生成するための固定サンプル・レート増大部［increaser］を備える、請求項２に記載のサンプル・レート・コンバータ。
【請求項４】
前記固定サンプル・レート増大部が、固定増大ファクタＫを用いて入力サンプル・レートを増大させ、前記可変サンプル・レート減少部が、Ｌ≦Ｋとなる可変減少ファクタＬを用いて前記中間サンプル・レートを可変に減少させる、請求項３に記載のサンプル・レート・コンバータ。
【請求項５】
固定ファクタＭを用いて可変に減少させられた中間サンプル・レートを固定して減少させ、前記出力サンプル・レートを有する信号を生成するための固定サンプル・レート減少部を備える、請求項４に記載のサンプル・レート・コンバータ。
【請求項６】
前記サンプル・レート・アダプタが、前記中間サンプル・レートを可変に増大させるための可変サンプル・レート増大部を備える、請求項１に記載のサンプル・レート・コンバータ。
【請求項７】
前記入力サンプル・レートを固定して増大させ、前記可変サンプル・レート増大部に向けられることになる、前記中間サンプル・レートを有する信号を生成するための固定サンプル・レート増大部を備える、請求項６に記載のサンプル・レート・コンバータ。
【請求項８】
可変に増大させられた中間サンプル・レートを固定して減少させ、前記出力サンプル・レートを有する信号を生成するための固定サンプル・レート減少部を備える、請求項７に記載のサンプル・レート・コンバータ。
【請求項９】
信号の入力サンプル・レートを出力サンプル・レートに変換するための方法であって、第１の値を有する制御信号に応じて、前記出力サンプル・レートが前記入力サンプル・レートよりも大きくなるように中間サンプル・レートを適応させると共に、第２の値を有する制御信号に応じて、前記出力サンプル・レートが前記入力サンプル・レートよりも小さくなるように前記中間サンプル・レートを適応させるステップを備える方法。
【請求項１０】
信号の入力サンプル・レートを出力サンプル・レートに変換するためのコンピュータ・プログラムであって、第１の値を有する制御信号に応じて、前記出力サンプル・レートが前記入力サンプル・レートよりも大きくなるように中間サンプル・レートを適応させると共に、第２の値を有する制御信号に応じて、前記出力サンプル・レートが前記入力サンプル・レートよりも小さくなるように前記中間サンプル・レートを適応させる機能を備えるコンピュータ・プログラム。
【請求項１１】
信号の入力サンプル・レートを出力サンプル・レートに変換するためのサンプル・レート・コンバータを備える装置であって、前記サンプル・レート・コンバータが、第１の値を有する制御信号に応じて、前記出力サンプル・レートが前記入力サンプル・レートよりも大きくなるように中間サンプル・レートを適応させると共に、第２の値を有する制御信号に応じて、前記出力サンプル・レートが前記入力サンプル・レートよりも小さくなるように前記中間サンプル・レートを適応させるためのサンプル・レート・アダプタを備える装置。
【発明の詳細な説明】
【技術分野】
【０００１】
本発明は、信号の入力サンプル・レートを出力サンプル・レートに変換するためのサンプル・レート・コンバータに関する。
【０００２】
本発明はまた、信号の入力サンプル・レートを出力サンプル・レートに変換するための方法、信号の入力サンプル・レートを出力サンプル・レートに変換するためのコンピュータ・プログラム、およびかかるサンプル・レート・コンバータを備える装置にも関する。
【背景技術】
【０００３】
サンプル・レート・コンバータは、例えばコンパクト・ディスク・プレーヤ、デジタル・オーディオ・テープのプレーヤおよび／またはレコーダ、テレビジョン・レシーバ、デジタル多用途ディスクのプレーヤおよび／またはレコーダなどのようなオーディオおよび／またはビデオ用のプレーヤ、レコーダおよび／またはレシーバのような装置中、ならびに／または例えばモニタ、ディスプレイ、スクリーンなどのようなビデオ再生装置のような装置中で使用される。
【０００４】
先行技術のサンプル・レート・コンバータは、米国特許第６，２０８，６７１Ｂ１号から既知であり、この米国特許は、アップサンプリング・ファクタＵを用いてアップサンプリングするための補間フィルタと、再サンプリングの目的のためのリサンプラ［resampler］と、ダウンサンプリング・ファクタＤを用いてダウンサンプリングするためのデシメータ［decimator］とを含むサンプル・レート・コンバータを開示している。米国特許第６，２０８，６７１Ｂ１号のうちの第９欄に説明されているように、このアップサンプリング・ファクタＵおよび／またはダウンサンプリング・ファクタＤを変化させることに関与する可変の補間を使用して、このファクタＤとこの出力サンプル・レートとの積が、このファクタＵとこの入力サンプル・レートとの積に等しくないか、またはほぼ等しいことを保証している。
【０００５】
この既知のサンプル・レート・コンバータは、とりわけ複雑であることにより、不利である。すなわち、米国特許第６，２０８，６７１Ｂ１号のうちの第８欄に説明されているように、このファクタＵに依存してこのデータをゼロ次ホールドするために、このファクタＤに依存してこのデータを時刻変更するために、またこのファクタＵとこの入力サンプル・レートとの積と、このリサンプラによって計算されるこの積の推定値との間の差について補償するために、このリサンプラは、このファクタＵとこの入力サンプル・レートとの積の推定値を計算し、この補間フィルタ中のファーストイン・ファーストアウト・メモリにこの情報をフィードバックする必要がある。
【発明の開示】
【発明が解決しようとする課題】
【０００６】
本発明の１つの目的は、特にアップサンプリング・モードからダウンサンプリング・モードへと、また逆もまた同様に切り換えることができるあまり複雑でないサンプル・レート・コンバータを提供することである。
【０００７】
本発明のさらなる目的は、特にアップサンプリング・モードからダウンサンプリング・モードへと、また逆もまた同様に切り換えることができる、あまり複雑でない方法、およびあまり複雑でないコンピュータ・プログラム、ならびにサンプル・レート・コンバータを含むあまり複雑でない装置を提供することである。
【課題を解決するための手段】
【０００８】
信号の入力サンプル・レートを出力サンプル・レートに変換するための、本発明によるサンプル・レート・コンバータは、第１の値を有する制御信号に応じて、この出力サンプル・レートがこの入力サンプル・レートよりも大きくなるように中間サンプル・レートを適応させ、第２の値を有する制御信号に応じて、この出力サンプル・レートがこの入力サンプル・レートよりも小さくなるように中間サンプル・レートを適応させるためのサンプル・レート・アダプタを備えている。
【０００９】
この入力サンプル・レートとこの出力サンプル・レートの間に、このサンプル・レート・コンバータ中に、見出すことができる（配置される、または位置する）中間サンプル・レートを適応させるためのサンプル・レート・アダプタをこのサンプル・レート・コンバータに設けることにより、この第１の値を有する制御信号に応じて、このサンプル・レート・コンバータは、このアップサンプリング・モード（この出力サンプル・レートは、この入力サンプル・レートよりも大きい）に切り換えられ、またこの第２の値を有する制御信号に応じて、このサンプル・レート・コンバータは、このダウンサンプリング・モード（この出力サンプル・レートは、この入力サンプル・レートよりも小さい）に切り換えられる。このようなサンプル・レート・アダプタは、従来技術のリサンプラに比べてずっと複雑ではないものになっており、先行技術のフィードバック・ループは、もはや必要ではない。
【００１０】
本発明によるサンプル・レート・コンバータの第１の実施形態においては、このサンプル・レート・アダプタは、この中間サンプル・レートを可変に減少させるための可変サンプル・レート減少部［decreaser］を備える。これと共に、このサンプル・レート・コンバータは、以下でさらに説明しているように、このサンプル・レート・コンバータがＤＣ問題を解決していることにより、ＤＣ−出力がＤＣ−入力に等しいことを必要とするビデオ用途で使用することができる。
【００１１】
本発明によるサンプル・レート・コンバータの第２の実施形態において、このサンプル・レート・コンバータは、この入力サンプル・レートを固定して増大させ、この可変サンプル・レート減少部に向けられることになる中間サンプル・レートをもつ信号を生成するための固定サンプル・レート増大部［increaser］を備える。これと共に、この固定サンプル・レート増大部と、可変サンプル・レート減少部との間に配置されるフィルタは、ただこの固定サンプル・レート増大部だけに依存して設計することができ、この可変サンプル・レート減少部とは独立している（この適応可能中間サンプル・レートとは独立している）。可変ファクタＵ（の一部分）を用いてこの入力サンプル・レートを可変にアップサンプリングするためのユニットに続くフィルタが、この可変ファクタＵ（のこの一部分）に依存して適応させられる必要がある、米国特許第６，２０８，６７１Ｂ１号に比較すると、本発明による、この固定サンプル・レート増大部とこの可変サンプル・レート減少部との間のサンプル・レート・コンバータ中のフィルタは、固定することができ、可変減少ファクタに依存して適応させられる必要はない。これは、有利である。
【００１２】
本発明によるサンプル・レート・コンバータの第３の実施形態においては、この固定サンプル・レート増大部は、固定増大ファクタＫを用いてこの入力サンプル・レートを増大させ、この可変サンプル・レート減少部は、Ｌ≦Ｋとなる可変減少ファクタＬを用いてこの中間サンプル・レートを可変に減少させる。これと共に、この可変サンプル・レート減少部の後に配置されるフィルタは、可変減少ファクタＬとは独立しており、この可変減少ファクタＬに依存して適応させられる必要はない。これは、有利である。
【００１３】
本発明によるサンプル・レート・コンバータの第４の実施形態において、このサンプル・レート・コンバータは、固定ファクタＭを用いて可変に減少させられる中間サンプル・レートを固定して減少させ、この出力サンプル・レートをもつ信号を生成するための固定サンプル・レート減少部を備える。これと共に、この可変サンプル・レート減少部とこの固定サンプル・レート減少部との間に配置されるフィルタは、ただこの固定サンプル・レート減少部だけに依存して設計することができ、この可変サンプル・レート減少部とは独立している。可変ファクタＤ（の一部分）を用いてこの出力サンプル・レートを可変にダウンサンプリングするためのユニットの直前のフィルタが、この可変ファクタＤ（のこの一部分）に依存して適応させられる必要がある、米国特許第６，２０８，６７１Ｂ１号に比べると、本発明による、この可変サンプル・レート減少部とこの固定サンプル・レート減少部との間のサンプル・レート・コンバータ中のフィルタは、固定することができ、可変減少ファクタに依存して適応させられる必要はない。これは、有利である。
【００１４】
本発明によるサンプル・レート・コンバータの第５の実施形態において、このサンプル・レート・アダプタは、この中間サンプル・レートを可変に増大させるための可変サンプル・レート増大部を備えている。これと共に、このサンプル・レート・コンバータは、このサンプル・レート・コンバータがこのＤＣ問題を解決しないことにより、ＤＣ−出力がＤＣ−入力に等しいことを必要としないオーディオ用途で使用することができる。この可変増大ファクタＬは、可変量のスペクトル・イメージを導入し、ＤＣ入力信号は、可変量のＬイメージを導入し、実際にはこれらの全てをフィルタによって抑制することはできない。したがって、このＤＣ入力信号に対応する出力信号は撹乱成分を含むことになり、この問題は、より多くの歪みを導入する手段を介してしか解決することができない。
【００１５】
本発明によるサンプル・レート・コンバータの第６の実施形態において、このサンプル・レート・コンバータは、この入力サンプル・レートを固定して増大させ、この可変サンプル・レート増大部に向けられることになる中間サンプル・レートをもつ信号を生成するための固定サンプル・レート増大部を備える。これと共に、この固定サンプル・レート増大部とこの可変サンプル・レート増大部との間に配置されるフィルタは、ただこの固定サンプル・レート増大部だけに依存して設計することができ、この可変サンプル・レート増大部とは独立していることが有利である。
【００１６】
本発明によるサンプル・レート・コンバータの第７の実施形態において、このサンプル・レート・コンバータは、可変に増大させられた中間サンプル・レートを固定して減少させ、この出力サンプル・レートをもつ信号を生成するための固定サンプル・レート減少部を備える。これと共に、この可変サンプル・レート増大部とこの固定サンプル・レート減少部との間に配置されるフィルタは、ただこの固定サンプル・レート減少部だけに依存して設計することができ、この可変サンプル・レート増大部とは独立していることが有利である。
【００１７】
本発明による方法、本発明によるコンピュータ・プログラム、および本発明による装置の実施形態は、本発明によるサンプル・レート・コンバータの実施形態に対応している。
【００１８】
本発明は、特に、従来技術のサンプル・レート・コンバータは、アップサンプリングおよびダウンサンプリングを行なうための、ブックキーピング［bookkeeping―原意は簿記のこと―］を必要とし、切換え問題を導入する二重の（並列の）構造を有し、または適応可能フィルタをもつ複雑な構造を有するという洞察に基づいており、また特に、非二重の（非並列の）構造または単一の（直列の）構造を有するサンプル・レート・コンバータにおいて、入力サンプル・レートでも、出力サンプル・レートでもない中間サンプル・レートが、全体的なアップサンプリング、ならびに全体的なダウンサンプリングが可能であるように、適応させられることになるという基本的なアイデアに基づいている。
【００１９】
本発明は、特にアップサンプリング・モードからダウンサンプリング・モードに、またその逆もまた同様に切り換えることができるあまり複雑でないサンプル・レート・コンバータを提供すると言う問題を解決しており、特にこのサンプル・レート・コンバータは、複雑でなく、どのようなブックキーピングも必要とせず、どのような切換え問題も導入しないという点で有利である。
【００２０】
本発明のこれらおよび他の態様については、以降で説明する１つ（または複数）の実施形態から明らかになり、またこの実施形態に関して明らかにされる。
【発明を実施するための最良の形態】
【００２１】
図１に示す、本発明によるサンプル・レート・コンバータ１２は、入力信号の入力サンプル・レートＦｓ１を固定して増大させ、第１のフィルタ２を介して可変サンプル・レート減少部３に供給すべき、増大させられた入力サンプル・レート、または中間サンプル・レートＦｓ２を有する／における信号を生成するための固定サンプル・レート増大部１を備える。この可変サンプル・レート減少部３から発生される可変に減少させられた中間サンプル・レートＦｓ３は、第２のフィルタ４を介して出力サンプル・レートＦｓ４を有する／における出力信号を生成するための固定サンプル・レート減少部５に供給される。
【００２２】
第１の値を有する制御信号ＣＴＲＬに応じてサンプル・レート・コンバータ１２がアップサンプリングを実施するようにフィルタ２を介して到達するこの信号の中間サンプル・レートＦｓ２を適応させ、また第２の値を有する制御信号ＣＴＲＬに応じてサンプル・レート・コンバータ１２がダウンサンプリングを実施するようにこの中間サンプル・レートＦｓ２を適応させるサンプル・レート・アダプタ３により、サンプル・レート・コンバータ１２は、可変の方法でこの入力信号の入力サンプル・レートＦｓ１をこの出力信号の出力サンプル・レートＦｓ４に変換する。
【００２３】
固定サンプル・レート増大部１は、固定増大ファクタＫを用いてこの入力サンプル・レートＦｓ１を増大させ、可変サンプル・レート減少部３は、可変減少ファクタＬを用いて中間サンプル・レートＦｓ２を可変に減少させ、固定サンプル・レート減少部５は、固定ファクタＭを用いて可変に減少させられた中間サンプル・レートＦｓ３を減少させる。Ｒ＝Ｆｓ４／Ｆｓ１の場合には、Ｒ＝Ｋ／（Ｍ＊Ｌ）となる。アップサンプリングについてはＲ＞１であり、Ｌ＜Ｋ／Ｍである。この場合には、この１つまたは複数の第１の値は、Ｌ＜Ｋ／Ｍのようになる。ダウンサンプリングについては、Ｒ＜１であり、Ｌ＞Ｋ／Ｍである。この場合には、この１つまたは複数の第２の値は、Ｌ＞Ｋ／Ｍのようになる。Ｒ１＜Ｒ＜Ｒ２とＲ１＜１およびＲ２＞１とを用いて、サンプル・レート・コンバータ１２は、２つの非整数値Ｒ１とＲ２との間で切り替わり、したがってこのファクタＬを変化させることによりダウンサンプリングとアップサンプリングとの間で切り替わることができる。この相対的な変化ΔＬ／Ｌはできるだけ小さいことが好ましい。例えば２０％よりも小さいときには、これらの相対的なエラーはより小さくなり、例えば約５０％または約１００％であるときには、これらの相対的なエラーは、より大きくなる。
【００２４】
Ｋが固定されている場合には、フィルタ特性Ｇ０（ｚ）を有する第１のフィルタ２は、ファクタＬとは独立に設計することができ、Ｌ≦Ｋの場合には、可変サンプル・レート減少部３の出力信号にはエイリアシングがないことになる。この第１のフィルタ２は、サンプル・レート増大部１が生成する信号中のＫ−１イメージを抑制するためのローパス・フィルタを備えている。フィルタ２の帯域幅は、例えばπ／Ｋであり、πをサンプル・レート増大部１の出力におけるサンプリング周波数の半分に相当する。
【００２５】
図２は、Ｋ＝５、Ｍ＝２、ならびにＬ＝１、２、３、４および５について図１に示すサンプル・レート・コンバータ１２についての一部のスペクトルを示している。この入力信号（input）は、そのスペクトル中の各周波数においてエネルギーを含むことができる任意の信号である。固定サンプル・レート増大部１（Ｋ＝５）の出力信号は、この入力信号と４つのイメージを含んでおり、これらの４つのイメージは、第１のフィルタ２（Ｇ０（ｚ））によってフィルタされる。可変サンプル・レート減少部３（Ｌ＝１、Ｌ＝２、Ｌ＝３、Ｌ＝４、Ｌ＝５）の出力信号は、例えばπ／Ｍの帯域幅を有するローパス・フィルタを含む第２のフィルタ２（Ｇ１（ｚ））によってフィルタされる。Ｌ＝１およびＬ＝２では、第２のフィルタ２は、回避することができる。Ｌ＝３、Ｌ＝４およびＬ＝５では、第２のフィルタは、エイリアシングを引き起こす周波数成分をまさしく減衰させる。
【００２６】
ＤＣ入力信号では、固定サンプル・レート増大部１は、この入力サンプリング周波数の倍数における望ましくない成分を生成する。これらの周波数においてゼロを有するように設計される第１のフィルタ１を用いて、これらのイメージは、よく抑制される。その結果このＤＣ問題は、このサンプル・レート・コンバータ１２によって解決され、したがってこのサンプル・レート・コンバータは、ビデオ用途で使用するのに適している。
【００２７】
ビデオシーケンスをスケーリングするために図１に示すサンプル・レート・コンバータ１２についての実際の設計においては、Ｋ＝６４、Ｍ＝２、および１≦Ｌ≦６４である。この入力信号のサンプリング周波数はＦｓ１であり、第１のフィルタ２におけるサンプリング周波数は、Ｆｓ２＝６４Ｆｓ１であり、またＧ０（ｚ）は、０から０．３５Ｆｓ１までの通過帯域および±０．５ｄＢの間の転送を有し、０．６５Ｆｓ１から３２Ｆｓ１＝Ｆｓ２／２までの停止帯域および−４６ｄＢの停止帯域減衰量を有し、Ｆｓ１の倍数におけるゼロのスペクトルを有してこのＤＣ問題に対処するように設計されている。
【００２８】
第２のフィルタ４におけるサンプリング周波数は、Ｆｓ３であり、Ｇ１（ｚ）は、０から０．３５Ｆｓ３までの通過帯域および±０．７ｄＢの間の転送を有し、０．６５Ｆｓ３からＦｓ３までの停止帯域および−５０ｄＢの停止帯域減衰量を有し、Ｆｓ３におけるゼロのスペクトルを有してこのＤＣ問題に対処するように設計されている。
【００２９】
図３に示す本発明によるサンプル・レート・コンバータ１２は、この同じ固定サンプル・レート増大部１と、この同じサンプル・レート減少部５と、異なる可変サンプル・レート増大部６とを含み、このサンプル・レート・コンバータがこのＤＣ問題を解決しないことにより、ＤＣ−出力がＤＣ−入力に等しいことを必要としないオーディオ用途で使用することができる。この可変増大ファクタＬは、可変量のスペクトル・イメージを導入し、またＤＣ入力信号は、可変量のＬイメージを導入し、このイメージは、実際にすべてをフィルタによって抑制することはできない。したがって、このＤＣ入力信号に対応するこのサンプル・レート・コンバータ１２の出力信号は、かく乱成分を含むことになり、この問題は、より多くの歪みを導入する手段を介して解決することしかできない。しかし、オーディオ用途（Ｋは、例えば２１５に等しいこともある）においては、このＤＣ問題は、たいして重要ではない。
【００３０】
図１および３に示す各固定／可変サンプル・レート増大部／減少部は、１つまたは複数の（カスケード接続の）増大部／減少部を含んでいてもよい（複数の場合には、その後、場合により、１つまたは複数のフィルタによって分離される）。ＳＲＩ［Sample Rate Increaser―サンプル・レート増大部―］１（または６）は、例えばＳＲＩ１（または６）の出力において、Ｔ１／Ｋ（またはＴ１／Ｌ）に等しいサンプリング間隔Ｔ２を有しており、Ｔ１は、この入力におけるサンプリング間隔である。ＳＲＩ１（または６）は、あらゆる２つの入力サンプルの間に（Ｋ−１）個のゼロ（または（Ｌ−１）個のゼロ）を挿入する。ｎがＫ（またはＬ）の倍数であり、ｙ［ｎＴ２］が他のすべてのｎについて０に等しい場合、この出力信号ｙ［ｎＴ２］はｘ［ｎＴ１／Ｋ］（またはｘ［ｎＴ１／Ｌ］）に等しい。ＳＲＤ［Sample Rate Decreaser―サンプル・レート減少部―］３（または５）は、ＳＲＤ３（または５）の出力においてＬＴ１（またはＭＴ１）に等しいサンプリング間隔Ｔ２を有しており、Ｔ１は、この入力におけるサンプル間隔である。この時刻（time instant）ｎが、整数Ｌの倍数（したがって、ｎ＝ｉＬの場合）（または整数Ｍの倍数（したがってｎ＝ｉＭの場合））となる対象のＳＲＤ３（または５）のサンプルｘ［ｎＴ１］は、この出力へと伝送される。他のすべてのサンプルは、抑制される。信号ｙ［ｎＴ２］は、以下のように記述することができる。すなわち、ｙ［ｎＴ２］＝ｘ［ｎＬＴ１］（または、ｙ［ｎＴ２］＝ｘ［ｎＭＴ１］）である。先行技術のＳＲＩおよびＳＲＤは、A.W.M. van den Enden、「Efficiency in multirate and complex digital signal processing」、ISBN 90 6674 650 5、Waalre 2001、およびP.P. Vaidyanathan、「Multirate systems and filter banks」、Prentice-Hall、Englewood Cliffs、New Jersey、１９９３年、ISBN 0-13-605718-7のような参考文献に説明されている。
【００３１】
図４に示す本発明による装置１０は、入力情報を受け取るための少なくとも１つの入力ユニット１１と、出力情報を生成するための少なくとも１つの出力ユニット１２との間に配置された、本発明によるサンプル・レート・コンバータ１２を備える。装置１０がテレビジョン・レシーバである場合に、入力ユニット１１は、例えばチューナ、および／または１つまたは複数の増幅器、および／または１つまたは複数のフィルタ、および／または１つまたは複数のコンバータに相当し、出力ユニット１２は、１つまたは複数のドライバを含むディスプレイおよび／またはスクリーンに相当する。装置１０がコンパクト・ディスク・プレーヤである場合には、入力ユニット１１は、例えば１つまたは複数の光から電気へのコンバータ、および／または１つまたは複数の増幅器、および／または１つまたは複数のフィルタに相当し、出力ユニット１２は、１つまたは複数の増幅器、および／または１つまたは複数のフィルタ、および／または１つまたは複数のコンバータに相当する。装置１０がモニタである場合には、入力ユニット１１は、例えば１つまたは複数のコンバータ、および／または１つまたは複数の増幅器、および／または１つまたは複数のフィルタに相当し、出力ユニット１２は、１つまたは複数のドライバを含むディスプレイおよび／またはスクリーンに相当する。装置１０がデジタル・プリンタである場合には、入力ユニット１１は、例えば１つまたは複数のコンバータ、および／または１つまたは複数の増幅器、および／または１つまたは複数のフィルタに相当し、出力ユニット１２は、１つまたは複数のドライバを含む１つまたは複数のプリンティング・モジュールに相当する。一般に、装置１０は、データ処理装置となる。
【００３２】
「Ａについて［for A］」や「Ｂについて［for B］」における「について［for］」という表現は、「Ｃについて（for C）」などの他の機能が、同時または非同時に同様に実施されることを除外してはいない。「Ｙに結合されたＸ［X coupled to Y］」、「ＸとＹの間の結合［a coupling between X and Y］」、および「ＸとＹとを結合すること／結合する［coupling/couples X and Y］」などの表現は、構成要素ＺがＸとＹの間にあることを除外していない。「Ｐは、Ｑを備える［P comprises Q］」および「Ｑを備えるＰ［P comprising Q］」などの表現は、構成要素Ｒが、同様に備えられる／含まれることを除外してはいない。
【００３３】
前記実施形態は、本発明を限定するのではなくて例証していること、また当業者なら、添付の特許請求の範囲を逸脱することなく多数の代替実施形態を設計することができるであろうことに留意されたい。この特許請求の範囲において、括弧の間に配置されるいかなる参照符号も、特許請求の範囲を限定するものとして解釈すべきではない。動詞「備える［comprise］」およびその活用形は、請求項中で述べられる構成要素またはステップ以外の構成要素またはステップの存在を除外してはいない。構成要素に先行する冠詞「a」または「an」は、複数のかかるエレメントの存在を除外してはいない。本発明は、いくつかの異なるエレメントを備えるハードウェアを用いて、また適切にプログラムされたコンピュータを用いて実装することができる。いくつかの手段を列挙した装置の請求項においては、これらの手段のうちのいくつかは、ハードウェアの単一および同一のアイテムによって実施することができる。ある種の手段が相互に異なる従属請求項に列挙されているという単なる事実は、これらの手段の組合せを有利に使用することができないということを示してはいない。
【図面の簡単な説明】
【００３４】
【図１】可変サンプル・レート減少部の形態のサンプル・レート・アダプタを備える本発明によるサンプル・レート・コンバータをブロック図形式で示す図である。
【図２】固定ファクタＫ、固定ファクタＭ、および可変ファクタＬについての５つの値についての図１に示すサンプル・レート・コンバータについての一部のスペクトルを示す図である。
【図３】可変サンプル・レート増大部の形態のサンプル・レート・アダプタを備える本発明によるサンプル・レート・コンバータをブロック図形式で示す図である。
【図４】本発明によるサンプル・レート・コンバータを備える、本発明による装置をブロック図形式で示す図である。
【図１】
2006523996.tif 000003
【図３】
2006523996.tif 000004
【図４】
2006523996.tif 000005
【図２】
2006523996.tif 000006
【国際調査報告】
2006523996.tif 000007
2006523996.tif 000008